(57)【要約】最も一般には、ＤＮＡに関連付けられる二重螺旋に似た基本的構造を有する電気システムが、種々の用途のために有用な電磁場を生成するために使用され得る。一実施形態において、電気システムは、２つの互に絡み合わされ、螺旋状に巻かれているランナを含む本体であって、第１のランナは、支柱によって第２のランナに結合され、本体は、トロイダル形状に配置されている、本体と、本体の少なくとも１つのランナの周囲に渦巻状に巻かれている第１の伝導性ワイヤとを備えている。
2014518588.tif 000002
【特許請求の範囲】
【請求項１】
電気システムであって、
２つの互に絡み合わされ、螺旋状に巻かれているランナを含む本体であって、第１のランナは、支柱によって第２のランナに結合され、前記本体は、トロイダル形状に配置されている、本体と、
前記本体の少なくとも１つのランナの周囲に渦巻状に巻かれている第１の伝導性ワイヤと
を備えている、システム。
【請求項２】
前記第１の伝導性ワイヤは、前記第１の伝導性ワイヤが前記第１のランナと一致する軸を有する螺旋形状に配置されるように、前記第１のランナの周囲に渦巻状に巻かれている、請求項１に記載の電気システム。
【請求項３】
前記第１の伝導性ワイヤは、２つのランナの周囲に渦巻状に巻かれている、請求項１に記載の電気システム。
【請求項４】
前記第２のランナの周囲に渦巻状に巻かれている第２の伝導性ワイヤをさらに備え、前記第１の伝導性ワイヤは、前記第１のランナの周囲に渦巻状に巻かれている、請求項１に記載の電気システム。
【請求項５】
前記支柱は、前記第１のランナと前記第２のランナとの間で電気を伝導しない、請求項１に記載の電気システム。
【請求項６】
少なくとも１つのランナの外側表面は、前記第１の伝導性ワイヤを誘導するように配置されている構造要素を備えている、請求項１に記載の電気システム。
【請求項７】
前記第１の伝導性ワイヤと電気的に結合するように配置されている交流電源をさらに備え、前記交流電源は、０Ｈｚ〜４０ＧＨｚで動作する、請求項１に記載の電気システム。
【請求項８】
前記ランナは、前記本体に２〜１００００回転配置されている、請求項１に記載の電気システム。
【請求項９】
前記ランナは、１回転あたり２〜１００個の支柱と結合されている、請求項１に記載の電気システム。
【請求項１０】
前記支柱は、１ｎｍ〜１ｍの長さを有する、請求項１に記載の電気システム。
【請求項１１】
前記第１の伝導性ワイヤは、前記第１の伝導性ワイヤが、少なくとも１つのランナの１回転あたり２〜１００００回、前記少なくとも１つのランナの周囲を回転するように、渦巻状に巻かれている、請求項１に記載の電気システム。
【請求項１２】
前記ランナの表面は、伝導性である、請求項１に記載の電気システム。
【請求項１３】
少なくとも１つのランナは、磁性を備えている、請求項１に記載の電気システム。
【請求項１４】
前記本体の平面形状は、円形、卵形、三角形、正方形、角張った形状、または多角形のうちの１つである、請求項１に記載の電気システム。
【請求項１５】
前記本体の周囲に保護カバーをさらに備え、前記カバーは、トロイダル形状を備えている、請求項１に記載の電気システム。
【請求項１６】
前記ランナの回転は、前記本体に沿って、可変直径を備えている、請求項１に記載の電気システム。
【請求項１７】
電気システムであって、
ランナあたり少なくとも２回転で配置されている、２つの互に絡み合わされ、螺旋状に巻かれているランナを含む本体であって、第１のランナは、支柱によって、第２のランナに結合され、前記本体は、トロイダル形状に配置され、前記支柱は、前記第１のランナと前記第２のランナとの間で電気を伝導しない、本体と、
前記本体の前記第１のランナの周囲に渦巻状に巻かれている第１の伝導性ワイヤであって、前記第１の伝導性ワイヤは、前記第１のランナと一致する軸を有する螺旋形状に配置されている、第１の伝導性ワイヤと、
前記本体の前記第２のランナの周囲に渦巻状に巻かれている第２の伝導性ワイヤであって、前記第２の伝導性ワイヤは、前記第２のランナと一致する軸を有する螺旋形状に配置されている、第２の伝導性ワイヤと、
電力が、前記第１の伝導性ワイヤおよび前記第２の伝導性ワイヤに供給されるように、前記第１の伝導性ワイヤおよび前記第２の伝導性ワイヤと電気的に結合するように配置されている電流源と
を備えている、システム。
【請求項１８】
前記電流源は、第１の交流電流を前記第１の伝導性ワイヤに、第２の交流電流を前記第２の伝導性ワイヤに供給する、請求項１７に記載の電気システム。
【発明の詳細な説明】
【技術分野】
【０００１】
（関連出願）
本願は、米国仮特許出願第６１／４６４，４４９号（２０１１年３月３日出願、名称「Ｎｏｖｅｌ  Ｅｌｅｃｔｒｏｍａｇｎｅｔｉｃ  Ｃｏｉｌ  Ｗｉｔｈ  Ｓｔｒｕｃｔｕｒｅ  Ｓｉｍｉｌａｒ  ｔｏ  ＤＮＡ」）、および、米国非仮特許出願第１３／２１３，６０４号（２０１１年８月１９日出願、名称「Ｄｏｕｂｌｅ  Ｈｅｌｉｘ  Ｃｏｎｄｕｃｔｏｒ」）に基づく優先権を主張する。これらの出願は、その全体が参照により本明細書に援用される。
【０００２】
（発明の分野）
本発明は、その周囲に、１つ以上の伝導性ワイヤが巻かれ得る、螺旋状に巻かれているランナとして構築された本体と、そのような本体を含むように構成される、電気デバイスおよび／またはシステムと、そのような本体ならびに／あるいはそのような電気デバイスおよび／またはシステムの製造に関する。本発明はまた、これらのデバイスおよびシステムの動作の方法と、その用途とに関する。
【背景技術】
【０００３】
渦巻状に巻かれている電気導体が、ある電磁特性を呈すること、および／または特定の電磁場を発生させ得ることは公知である。例えば、電磁コイルが、誘導子および／または変圧器の一部として作用し得、電気回路内における多くの確立された有用な用途を有することは公知である。電磁コイルは、例えば、活性電流源が、コイルの両端に動作可能に連結されるときに生成される、電磁場を利用するために使用され得る。
【発明の概要】
【課題を解決するための手段】
【０００４】
本発明の一側面は、本体と、１つ以上の伝導性ワイヤとを備えている、電気システムに関する。本体は、２つの互に絡み合わされ、螺旋状に巻かれているランナを含み得る。第１のランナは、支柱によって、第２のランナに結合される。本体は、トロイダル形状に配置される。１つ以上の伝導性ワイヤが、本体の少なくとも１つのランナの周囲に渦巻状に巻かれ得る。
【０００５】
本開示のこれらおよび他の目的、特徴、ならびに特性と、構造の関連構成要素および部分の組み合わせの動作の方法ならびに機能と、製造の経済性は、全て、本明細書の一部を形成し、類似参照番号が、種々の図中の対応する部分を指定する、付随の図面を参照して、以下の説明および添付の請求項を検討することによって、より明白となるであろう。しかしながら、図面は、例証および説明の目的にすぎず、任意の限定の定義として意図されないことを明示的に理解されたい。明細書および請求項において使用されるように、単数形「ａ」、「ａｎ」、および「ｔｈｅ」は、文脈によって明確に別様に示されない限り、複数参照を含む。
【図面の簡単な説明】
【０００６】
【図１】図１は、支柱によって結合される、２つの互に絡み合わされ、螺旋状に巻かれているランナを含む、例示的本体の側面図を図示する。
【図２】図２は、支柱によって結合される、２つの互に絡み合わされ、螺旋状に巻かれているランナを含む、例示的本体の等角図を図示する。
【図３】図３は、両ランナが、支柱によって結合される、同一の円形軸を共有する、２つの互に絡み合わされ、螺旋状に巻かれているランナを含む、例示的本体の見下げ図を図示する。
【図４】図４は、両ランナが、支柱によって結合される、同一の円形軸を共有する、２つの互に絡み合わされ、螺旋状に巻かれているランナを含む、例示的本体の等角図を図示する。
【図５】図５は、両ランナが、支柱によって結合される、同一の円形軸を共有し、ワイヤガイドを有する、２つの互に絡み合わされ、螺旋状に巻かれているランナを含む、例示的本体の見下げ図を図示する。
【図６】図６は、両ランナが、支柱によって結合される、同一の円形軸を共有し、ワイヤガイドを有する、２つの互に絡み合わされ、螺旋状に巻かれているランナを含む、例示的本体の等角図を図示する。
【図７】図７は、両ランナが、支柱によって結合される、同一の楕円形軸を共有する、２つの互に絡み合わされ、螺旋状に巻かれているランナを含む、例示的本体の見下げ図を図示する。
【図８】図８は、両ランナが、支柱によって結合される、同一の円形軸を共有し、その周囲に渦巻状に巻かれている伝導性ワイヤを有する、２つの互に絡み合わされ、螺旋状に巻かれているランナを含む、例示的本体の見下げ図を図示する。
【図９】図９は、両ランナが、支柱によって結合され、本体の両ランナの周囲に渦巻状に巻かれているワイヤを有する、同一の円形軸を共有する、２つの互に絡み合わされ、螺旋状に巻かれているランナを含む、例示的本体の見下げ図を図示する。
【発明を実施するための形態】
【０００７】
図１は、例示的本体１５の側面図を図示する。本体１５は、２つ以上の互に絡み合わされた螺旋状に巻かれているランナ（ランナ１６およびランナ１７）を含み得る。ランナ１６およびランナ１７は、支柱１８によって結合され得る。本体１５は、本体１５の両側に配置される、２つの端部（端部２０および端部２１）を含む。ランナ１６および／または１７は、螺旋と同様または実質的に同一の３次元曲線の形状に配置され得る。螺旋は、曲線に沿った任意の点における接線が、軸と呼ばれる（固定）線に対して一定の角度を有するという事実によって特徴付けられ得る。螺旋のピッチは、例えば、螺旋の軸に平行に測定される、３６０度の螺旋の１巻（回転として知られる）の幅であり得る。互に絡み合わされ、螺旋状に巻かれているランナは、同一の軸を共有し、合同であり、および／または、例えば、ピッチの半分にあたる、軸に沿った平行移動分だけ異なり得る。図１に示される２つのランナは、同一の軸２２を共有し、約３回転に対して水平に延在し得る。したがって、本体１５の長さは、端部２０から端部２１に、軸２２に沿って測定されるとき、ピッチ２３の長さの約３倍であり得る。螺旋形状は、一定のピッチ、一定の半径（軸に垂直な平面で測定される）、一定のねじれ、一定の湾曲、ねじれに対する湾曲の一定の比率、および／または直線軸を有し得る。図１では、本体１５の半径は、直径２４の半分であり得る。本体１５の形状は、ＤＮＡの一般的形状に類似することに留意されたい。
【０００８】
ランナの断面の形状は、円形、卵形、正方形、三角形、長方形、角張った形状（ａｎｇｕｌａｒ  ｓｈａｐｅ）、多角形、および／または他の形状のうちの１つ以上を含み得る。ランナの断面の幅および高さは、実践的目的のために、最大でもピッチの半分に限定され得る。ランナの断面の形状および／またはサイズは、ランナの長さに沿って変化し得る。ランナの幅対螺旋形状のピッチの関係は、本体１５の特性測定／特徴を画定し得る。この関係は、例えば、端部２０から端部２１の本体１５の長さに沿って一定であり得る。図１では、ランナ１６およびランナ１７の断面の形状は、その高さの約３倍広い、長方形であり得る。さらに、ランナ１６またはランナ１７の幅は、本体１５の該ランナのピッチの約１／１３であり得る。その結果、本体１５のランナ１７は、内側表面２５（螺旋形状の軸２２に向いている）と外側表面２６（内側表面２５と反対方向に向いている）とを有する、リボンに類似する。本体１５のランナ１６は、内側表面２７（螺旋形状の軸２２に対向する向いている）と外側表面２８（内側表面２７と反対方向に向いている）とを有する、リボンに類似する。本開示の実施形態は、所与の実施例のいずれによっても限定されるよう意図されないことに留意されたい。
【０００９】
ランナ１６およびランナ１７を結合する支柱１８は、実質的に、直線、湾曲、弓形形状、捻られた、および／または他の形状であり得る。図１では、支柱１８は、実質的に、直線であり得る。支柱１８は、軸２２に実質的に直角に、および／または支柱１８のその他に実質的に平行に配置され得る。支柱の断面の形状は、円形、卵形、正方形、三角形、長方形、角張った形状、多角形、および／または他の形状のうちの１つ以上を含み得る。支柱１８のうちの１つの断面の形状および／またはサイズは、支柱の長さに沿って変化し得る。図１では、支柱１８の断面の形状は、円形であり得る。図１では、全部または大部分の支柱は、実質的に、同一の長さを有し得る。１回転あたりの支柱の数は、一定でなくてもよい。図１では、本体１５は、ランナの１回転あたり、約１０個の支柱を含む。図１に示されるように、各支柱の直径は、例えば、支柱１８のうちの１つとの係合点１９においてランナ１７の内側表面２５で測定されるように、ランナの幅より小さくあり得る。ある支柱の直径は、一定でなくてもよい。複数の隣接する支柱の直径は、同一でなくてもよい。
【００１０】
ランナ１６、ランナ１７、および／または支柱１８は、プラスチック、銅、ニッケル、鉄、軟鉄、ニッケル合金、および／または他の金属ならびに合金を含む金属で鍍着されたプラスチック、ならびに／あるいは他の材料のうちの１つ以上から製造され得る。いくつかの実施形態では、ランナ１６、ランナ１７、および支柱１８は、非伝導性材料から製造される。ランナ１６、ランナ１７、および支柱１８は、異なる材料から製造され得る。ランナ１６、ランナ１７、および支柱１８は、一体型構造を通して製造されるか、または組み立てに先立って、別個に形成され得る。
【００１１】
図２は、支柱１８によって結合される、２つの互に絡み合わされ、螺旋状に巻かれているランナ（ランナ１６およびランナ１７）を含む、例示的本体１５の等角図を図示する。本体１５は、ここでは、垂直に延在する、両螺旋状に巻かれているランナの軸２２とともに示される。
【００１２】
図３は、同一の円形軸４２を共有し、両ランナが、支柱３８によって結合される、２つの互に絡み合わされ、螺旋状に巻かれているランナ（ランナ３６およびランナ３７）を含む、例示的本体３５の見下げ図を図示する。本体３５の結果として生じる形状は、トロイダルと称され得る。本体３５は、本体１５と同一または同様に形成され得るが、本体を平面円形形状に配置し、図１における両端部（端部２０および端部２１）を一緒に継合することによって、より多くの回転を備えている。前述の記述は、いかようにも、本体の製造（プロセス）を本体３５と同様または実質的に同一のものに限定することを意図するものではない。図３における両ランナ３６およびランナ３７の断面の形状は、円形であり得る一方、図１および２における本体１５に対しては、長方形であり得ることに留意されたい。
【００１３】
図３を参照すると、本体３５の円形軸の直径４４と、円形軸４２全体に沿って完全に延在することを必要とされるランナあたりの回転の数は、本体３５の特性測定／特徴であり得る。例えば、図３に示されるように、本体３５のランナ３６およびランナ３７は、本体３５の円形軸４２全体に沿って完全に延在するために、円形軸４２の周囲に約８回の回転、またはある他の回転数を必要とし得る。
【００１４】
図３における本体３５の１つ以上の支柱３８は、本体１５の支柱１８には欠けている、中心支柱要素３９を含むことに留意されたい。中心支柱要素３９は、本体３５の特定の支柱に関連付けられ得る。中心支柱要素の断面の形状は、円形、卵形、正方形、三角形、長方形、角張った形状、多角形、および／または他の形状のうちの１つ以上を含み得る。中心支柱要素３９のうちの１つの断面の形状および／またはサイズは、中心支柱要素３９の長さに沿って変化し得る。本体３５の１つ以上の支柱３８は、支柱３８の別の１つの中心支柱要素３９と異なる形状を有し得る、中心支柱要素３９を含み得る。図３では、中心支柱要素３９の断面の形状は、中心支柱要素３９が、円筒形形状を有し得るように、円形であり得、所与の中心支柱要素３９の円筒形形状の軸が、関連付けられた支柱３８と一致し得る。図３では、支柱３８は、実質的に同一の形状を有する、中心支柱要素３９を含む。中心支柱要素は、構造完全性を向上させ、および／または他の目的を果たし得る。
【００１５】
図４は、同一の円形軸を共有し、両ランナが、支柱３８によって結合される、２つの互に絡み合わされ、螺旋状に巻かれているランナ（ランナ３６およびランナ３７）を含む、例示的本体３５の等角図を図示する。図３におけるように、図４における本体３５の支柱は、本体１５の支柱１８には欠けている場合がある、中心支柱要素３９を含み得ることに留意されたい。
【００１６】
図５は、同一の円形軸６２を共有し、ワイヤガイド５６を有し、両ランナが、支柱５９によって結合される、２つの互に絡み合わされ、螺旋状に巻かれているランナ（ランナ５７およびランナ５８）を含む、例示的本体５５の見下げ図を図示する。図５におけるランナ５７およびランナ５８の断面の形状は、円形であり得るが、ランナは、依然として、内側表面（法線ベクトルが、本体５５に略内向きに向かって向けられる、ランナの表面の半分）と外側表面（法線ベクトルが、本体５５から略外向きに離れるように向けられる、ランナの表面の半分）とを有し得る。ランナ５７またはランナ５８の任意の部分は、ワイヤガイド５６を含み得る。ワイヤガイド５６は、ランナ５７またはランナ５８上および／または内に配置され、概して、ワイヤガイド５６のうちの１つとランナ５７またはランナ５８との間の係合点において、ランナ５７またはランナ５８の方向に対して実質的に垂直方向に、ランナ５７またはランナ５８の表面の少なくとも一部に沿って、ワイヤを誘導するように構成される、溝、切り欠き、突出、スロット、および／または他の構造要素を含み得る。
【００１７】
図５では、ランナ５８のワイヤガイド５６のうちの１つは、ワイヤガイド５６が、ランナ５８の周囲に螺旋形状に配置されるワイヤを誘導し得るように配置されている、ランナ５８の外側表面上に配置される、突出を含み得、螺旋形状は、ランナ５８と一致する軸を有する。本説明に含まれる任意の図に列挙される任意のワイヤのようなそのようなワイヤは、絶縁されることも、絶縁されないことも、または部分的に絶縁されることも、部分的に絶縁されないこともある。図５に示されるように、ワイヤガイド５６は、例えば、突出が、ランナ５７またはランナ５８と１つの支柱５９との間の係合点６３のうちの１つに略最も近い（または、正反対の）ランナ５７またはランナ５８の表面上に配置されないように、連続パターンではなく、断続パターンで配置され得る。ランナの１回転あたりのワイヤガイドの数および／または隣接する支柱間のワイヤガイドの数は、本体５５の特性測定／特徴であり得る。ワイヤガイド５６のサイズ、形状、位置、および／または配置のパターンは、本体５５の特性測定／特徴であり得る。
【００１８】
図６は、同一の円形軸を共有し、ワイヤガイド５６を有し、両ランナが、支柱５９によって結合される、２つの互に絡み合わされ、螺旋状に巻かれているランナ（ランナ５７およびランナ５８）を含む、例示的本体５５の等角図を図示する。
【００１９】
図７は、同一の楕円形軸７８を共有し、両ランナが、支柱７９によって結合される、２つの互に絡み合わされ、螺旋状に巻かれているランナ（ランナ７６およびランナ７７）を含む、例示的本体７５の見下げ図を図示する。同一の軸を共有する、２つの（または、それ以上の）互に絡み合わされた螺旋状に巻かれているランナを含む、本体は、円形、卵形、三角形、正方形、長方形、角張った形状、多角形、および／または他の平面形状を含む、任意の平面形状に配置され得る。代替として、および／または同時に、そのような本体は、３次元曲線（空間曲線として知られる）に配置され得る。図７では、本体７５は、本体１５と同様の本体から形成され得るが、本体を平面楕円形形状に配置し、図１における両端部（端部２０および端部２１）を一緒に継合することによって、より多くの回転を備えている。前述の記述は、いかようにも、本体の製造（プロセス）を本体７５と同様または実質的に同一のものに限定することを意図するものではない。
【００２０】
図８は、同一の円形軸を共有し、支柱９０によって結合され、その周囲に渦巻状に巻かれている伝導性ワイヤ（ワイヤ８６およびワイヤ８７）を有する、２つの互に絡み合わされ、螺旋状に巻かれているランナ（ランナ８８およびランナ８９）を含む、例示的本体８５の見下げ図を図示する。本説明に含まれる任意の図に列挙される任意のワイヤのようなワイヤ８６およびワイヤ８７は、絶縁されることも、絶縁されないことも、または部分的に絶縁されることも、部分的に絶縁されないこともある。本体８５の形状は、図３における本体３５の形状と同様であり得る。本体８５のランナ８８およびランナ８９は、それぞれ、その周囲に、ワイヤ８６およびワイヤ８７が渦巻状に巻かれているコアを形成し得る。したがって、ワイヤ８６およびワイヤ８７は、それぞれ、ランナ８８およびランナ８９と一致する軸を有する、螺旋形状に配置され得る。図８に示されるように、ワイヤ８６および８７は、本体８５の支柱９０のいずれかを避けておよび／または支柱９０のうちの１つとランナ８８および８９のうちの１つとの間の任意の係合点を避けて回るように、巻かれ得る。ランナの１回転あたりのワイヤ巻の数および／または隣接する支柱間のワイヤ巻の数は、本体８５の特性測定／特徴であり得る。図８では、ワイヤ８６およびワイヤ８７は、それぞれ、ランナ８８およびランナ８９に関連付けられた隣接する支柱間に約５巻、および／またはある他の巻を成すように配置され得る。
【００２１】
ワイヤ８６は、２つのリード（リード８６ａおよびリード８６ｂ）を含み得る。ワイヤ８７は、２つのリード（リード８７ａおよびリード８７ｂ）を含み得る。ワイヤ８６およびワイヤ８７は、伝導性であり得る。本体８５は、ワイヤ８６およびワイヤ８７の一方または両方との電気結合が、例えば、ワイヤ８６のリード８６ａおよび８６ｂとの結合を通して、およびワイヤ８７のリード８７ａおよび８７ｂとの結合を通して、確立され得るように配置されている、１つ以上の電源および／または電流源を有する、電気システム内で使用され得る。ワイヤ８６に供給される電流は、直流電流または交流電流であり得る。ワイヤ８７に供給される電流は、直流電流または交流電流であり得る。ワイヤ８６およびワイヤ８７に供給される電流は、同一の方向または反対方向に流れ得る。交流電流に対しては、０Ｈｚ〜４０ＧＨｚの範囲の周波数での動作が、想定される。ワイヤ８６およびワイヤ８７に対する動作周波数は、同一であっても異なっていてもよい。位相等のワイヤ８６およびワイヤ８７に供給される電流の他の電気的動作特性は、同一であっても異なっていてもよい。電気システムは、電力が、本体８５の１つ以上のワイヤに供給されるときに生成される電磁場を利用するために使用され得る。
【００２２】
図８における本体８５と同様または実質的に同一の本体を含む、したがって、ワイヤ８６およびワイヤ８７を含む、電気システムのいくつかの実施形態は、ワイヤ８７と反対方向に流れるワイヤ８６内の電流を有するように構成され得る。いくつかの実施形態では、一方のワイヤに供給される電流は、直流電流であり得、別のワイヤに供給される電流は、交流電流であり得る。
【００２３】
図９は、同一の円形軸を共有し、両ランナが、支柱によって結合され、本体９５の両ランナの周囲に渦巻状に巻かれているワイヤ９６を有する、２つの互に絡み合わされ、螺旋状に巻かれているランナ（ランナ９７およびランナ９８）を含む、例示的本体９５の見下げ図を図示する。本説明に含まれる任意の図に列挙される任意のワイヤのようなワイヤ９６は、絶縁されることも、絶縁されないことも、または部分的に絶縁されることも、部分的に絶縁されないこともある。ワイヤ９６は、２つのリード（リード８６ａおよびリード８６ｂ）を含み得る。ワイヤ９６を伴う、本体９５の結果として生じる形状は、螺旋体形状と称され得る。ワイヤ９６は、伝導性であり得る。本体９５は、例えば、リード９６ａおよび９６ｂを通して、ワイヤ９６との電気結合が、確立され得るように配置されている、電源および／または電流源を有する、電気システム内で使用され得る。ワイヤ９６に供給される電力は、直流電流または交流電流を含み得る。ワイヤ９６を通して流動する交流電流に対する動作周波数は、０Ｈｚ〜４０ＧＨｚの範囲であると想定される。電気システムは、電力が、本体９５のワイヤ９６に供給されるときに生成される電磁場を利用するために使用され得る。
【００２４】
図１−９に示される本体のいずれも、電気システム内で使用され得る。伝導性ワイヤは、１つ以上のランナ、１つ以上の支柱、および／または任意のそれらの組み合わせの周囲に渦巻状に巻かれ、電力が、伝導性ワイヤのうちの１つ以上に供給されるとき、特定の電磁特性を有する電気システムを生成し得る。これらの伝導性ワイヤは、絶縁されることも、絶縁されないことも、または部分的に絶縁されることも、部分的に絶縁されないこともある。（磁気）コアは、ランナが、（磁気）コアの周囲に螺旋状に巻くように、複数のランナ間の空間内に配置され得る。代替として、および／または同時に、本明細書に説明される任意の本体に対して、（磁気）コアは、本体との任意の３次元関係において、直線に沿って、本体の任意の曲線に沿って、支柱に沿って、ランナに沿って、本体の任意の軸に沿って、または本体の任意の表面に沿って、移動され得る。例えば、磁石が、いわゆる「ドーナッツ穴」を通して、本体８５の円形軸の中心において、本体８５の平面形状に垂直な線に沿って移動され得る。
【００２５】
本明細書に説明される電気システムの任意のものに対する用途として、植物および／または他の有機体の成長ならびに／あるいは成長率に影響を及ぼすことが挙げられ得る。本明細書に説明される電気システムの任意のものに対する用途として、治療用途が挙げられ得る。本明細書に説明される電気システムの任意のものに対する用途として、エネルギー生産、変換、および／または変換が挙げられ得る。本明細書に説明される電気システムの任意のものに対する用途として、ＡＴＰ生産、輸送、および／または処理が挙げられ得る。
【００２６】
いくつかの実施形態では、図１−９に示される本体の任意のものを含む、電気システムは、（同調可能）誘導子、（Ｔｅｓｌａ）コイル、変圧器、変換器、トランジスタ、レジスタ、ソレノイド、電気モータのための固定子、電磁石、電磁パルス発生器、電磁アクチュエータ、エネルギー変換デバイス、位置サーボ機構、発生器、ステッピングモータ、ＤＣモータ、（非接触）線形駆動、軸方向磁束デバイス、透磁率の測定デバイス、双極子磁石、ならびに電子および／または粒子軌道を改変するためのデバイスを含む、１つ以上の機能および／または用途を果たす、電気回路内の構成要素として使用され得る。
【００２７】
本発明は、現在、最も実践的かつ好ましい実施形態と見なされるものに基づいて、例証の目的のために詳細に説明されたが、そのような詳細は、そのような目的のためにすぎず、本発明は、開示される実施形態に限定されず、対照的に、添付の請求項の精神および範囲内にある、修正および均等物配置を網羅することを意図することを理解されたい。例えば、本発明は、可能な範囲において、任意の実施形態の１つ以上の特徴が、任意の他の実施形態の１つ以上の特徴と組み合わせることができることを想定することを理解されたい。
【図１】
2014518588.tif 000003
【図２】
2014518588.tif 000004
【図３】
2014518588.tif 000005
【図４】
2014518588.tif 000006
【図５】
2014518588.tif 000007
【図６】
2014518588.tif 000008
【図７】
2014518588.tif 000009
【図８】
2014518588.tif 000010
【図９】
2014518588.tif 000011
【国際調査報告】
2014518588.tif 000012